(57)【要約】【課題】  作業性を向上させるとともに、ケーブルの固定位置にばらつきないようにする。【解決手段】  固定部９上に結束バンド２２を挿通させるガイド溝１２が設けられ、このガイド溝１２にはケーブル２１を載置する両側壁１６，１６が設けられている。両側壁１６，１６には、ガイド溝１２内を挿通された結束バンド２２が、ガイド溝１２の開口からの抜けを規制する抜止片１７が設けられている。ガイド溝１２の一端には、ガイド溝１２と直交するようにガイド筒体１１が固定部９上に立設されている。ガイド筒体１１の上端には結束バンド２２を挿入するための挿入口が設けられている。ガイド筒体１１の規制壁１４には、ガイド溝１２と連通する結束バンド２２を導出するための導出口１４ａが設けられている。ガイド筒体１１とガイド溝１２を挟んでロアーケース２の側壁が設けられている。【選択図】  図４
2005051003.tif 000002
【特許請求の範囲】
【請求項１】
結束バンドによってケーブルを筺体の固定部に取り付ける電子機器におけるケーブルの取付構造であって、ケーブルを載置する一対の側壁を有し結束バンドが挿通される上方が開口したガイド溝と、このガイド溝の一端にガイド溝と直交するように延在する略角筒状に形成されたガイド筒体とを備え、前記ガイド筒体の先端に結束バンドを挿入するための挿入口を設けるともに、ガイド筒体の囲い壁の一面に前記ガイド溝に連通し結束バンドを導出するための導出口を設け、前記ガイド溝の側壁にガイド溝の開口から結束バンドの抜けを規制する抜止片を設けたことを特徴とする電子機器におけるケーブルの取付構造。
【請求項２】
請求項１記載の電子機器におけるケーブルの取付構造において、前記ガイド溝の底部の前記ガイド筒体と反対側の一端側に、ガイド筒体の立設する方向に傾斜する傾斜部を設けたことを特徴とする電子機器におけるケーブルの取付構造。
【請求項３】
請求項１記載の電子機器におけるケーブルの取付構造において、前記ガイド筒体を前記ガイド溝を挟んで装置筺体の壁と互いに対向するように設けたことを特徴とする電子機器におけるケーブルの取付構造。
【請求項４】
請求項３記載の電子機器におけるケーブルの取付構造において、結束バンドによって筺体の固定部に固定する被固定部材を前記ガイド筒体とともに保持する保持部を備え、この保持部に保持された被固定部材と前記装置筺体の壁との間に結束バンドを通す挿通空間を設けたことを特徴とする電子機器におけるケーブルの取付構造。
【発明の詳細な説明】
【技術分野】
【０００１】
本発明は、電子機器内に配線されるケーブルを結束バンドによって固定部に取り付けるための電子機器におけるケーブルの取付構造に関するものである。
【背景技術】
【０００２】
従来は、固定部に開口部が設けられ、この開口部の開口縁部に開口部の内方に向かって引掛片が延設されており、この引掛片の表面に引掛片の延設方向にケーブルを載置し、引掛片の裏面側を回り込ませた結束バンドによりケーブルを結束することによりケーブルを引掛片に取り付けている（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平１０−２２９２８３号公報（段落「００２１」〜「００２５                    」、図１）
【発明の開示】
【発明が解決しようとする課題】
【０００３】
上述した従来の電子機器におけるケーブルの取付構造においては、引掛片上に載置したケーブルを保持する手段が備えられていないため、結束バンドによって結束するときに複数本のケーブルが個々にずれ易く作業性が悪いというばかりでなく、ずれたケーブルが電子機器内に実装された電子部品の端子等に接触するとケーブルに傷が付くという問題があった。また、１つの引っ掛け片に結束バンドを掛け止める構造であるため、結束バンドによって結束されたケーブルが軸線方向と直交する方向に遊動しやすく、ケーブルの固定位置が一定しないという問題もあった。また、結束バンドを引掛片の裏面側に回り込ませるために、結束バンドを引掛片の裏面に挿入するときに結束バンドを固定部に沿って水平方向から挿入する必要があるから、電子機器内に結束バンドを挿入するための充分な作業空間が確保できない場合には挿入作業が煩雑になっていた。
【０００４】
本発明は上記した従来の問題に鑑みなされたものであり、その目的とするところは、作業性を向上させるとともに、ケーブルの固定位置にばらつきがないようにすることにある。
【課題を解決するための手段】
【０００５】
この目的を達成するために、請求項１に係る発明は、結束バンドによってケーブルを筺体の固定部に取り付ける電子機器におけるケーブルの取付構造であって、ケーブルを載置する一対の側壁を有し結束バンドが挿通される上方が開口したガイド溝と、このガイド溝の一端にガイド溝と直交するように延在し、先端に結束バンドを挿入する挿入口が開口され、かつ囲い壁の一面に結束バンドを導出し前記ガイド溝に連通する導出口が開口され、略角筒状に形成されたガイド筒体とを備え、前記ガイド溝の側壁にガイド溝の開口から結束バンドの抜けを規制する抜止片を設けたものである。
また、請求項２に係る発明は、請求項１に係る発明において、前記ガイド溝の底部の前記ガイド筒体と反対側の一端側に、ガイド筒体の立設する方向に傾斜する傾斜部を設けたものである。
また、請求項３に係る発明は、請求項１に係る発明において、前記ガイド筒体を前記ガイド溝を挟んで装置筺体の壁と互いに対向するように設けたものである。
また、請求項４に係る発明は、請求項３に係る発明において、結束バンドによって筺体の固定部に固定する被固定部材をガイド筒体とともに保持する保持部を備え、この保持部に保持された被固定部材と前記装置筺体の壁との間に結束バンドを通す挿通空間を設けたものである。
【発明の効果】
【０００６】
以上説明したように、請求項１に係る発明によれば、結束バンドによって固定される以前のケーブルの移動がガイド筒によって規制されるため、ケーブルを結束する作業が容易になる。また、ケーブルが移動することによって電子機器内に実装された電子部品の端子等よってケーブルの被覆部に傷が付くようなことがない。また、ケーブルがガイド筒体とガイド溝の側壁との二箇所で固定されるため、ケーブルを一定の位置に固定することができる。
請求項２および３に係る発明によれば、ガイド筒体に挿入された結束バンドがケーブルの周りを回り込むように導出されるため、結束作業が容易になる。
請求項４に係る発明によれば、保持部によって仮固定された被固定部材の周りを回り込むように結束バンドが導出されるから、被固定部材の固定作業が容易になる。
【発明を実施するための最良の形態】
【０００７】
以下、本発明の実施の形態を図に基づいて説明する。図１は本発明に係る電子機器の筺体の要部を示す斜視図、図２は同じく要部の平面図、図３は同じくケーブルを固定した状態を示す要部の平面図、図４は同じく結束バンドの装着動作を示す要部の斜視図、図５（ａ）は図２におけるV（ａ）-V（ａ） 線断面図、同図（ｂ）は図２におけるV（ｂ）-V（ｂ） 線断面図である。
【０００８】
図５において、全体を符号１で示すものは電子機器の筺体であって、上面が開口したロアーケース２と下面が開口したアッパーケース３とによって構成され、これら両ケース２，３の互いの開口を覆うようにして組み付けられることにより筺体１が形成される。ロアーケース２は底部４と側壁５とによって形成されており、側壁５に一体的に突設された基板ガイド６には、電子部品７が搭載された複数枚のプリント基板８Ａ，８Ｂが立設するように保持されている。底部４の一端には、ケーブルを固定するために底部４の一部を隆起させるようにして水平面状に形成した固定部９が設けらており、この固定部９はプリント基板８Ａに隣接している。
【０００９】
この固定部９には、図１に示すように、２個のケーブル固定本体１０，１０が並設されている。このケーブル固定本体１０は、固定部９上に一体に設けられたガイド溝１２と、このガイド溝１２の一端にガイド溝１２と直交するように固定部９に一体に立設された扁平な略角筒状に形成されたガイド筒体１１とによって構成されている。ガイド筒体１１の上端には後述する結束バンド２２を挿入する挿入口１３が開口し、この挿入口１３は側面視において傾斜するように形成されている。また、ガイド筒体１１を形成する囲い壁のうち、ガイド溝１２側に位置する規制壁１４には、結束バンド２２を導出するための導出口１４ａが開口し、この導出口１４ａはガイド溝１２に連通している。
【００１０】
ガイド溝１２は、結束バンドの幅よりもやや大きい幅に形成された底部１５と、この底部１５の両側部に立設された側壁１６，１６とによって断面がコ字状に形成され上方が開口している。底部１５のガイド筒体１１と反対側の一端側には、ガイド筒体１１と反対側に向かって、ガイド筒体１１の立設する方向、すなわち図中上方に傾斜する傾斜部１５ａが設けられている。側壁１６，１６の上側の一部には、ガイド溝１２の開口の一部を覆うようにして、ガイド溝１２の開口から結束バンド２２の抜けを規制する抜止片１７，１７が互いに対向するように一体に突設されている。固定部９には、図５（ａ）に示すように、抜止片１７を形成するための型抜き用孔１９が設けられている。このガイド溝１２のガイド筒体１１と反対側の一端はロアーケース２の側壁５に連設されており、前記ガイド筒体１１はガイド溝１２を挟んでこの側壁５と互いに対向するように設けられている。
【００１１】
次に、このような構成の電子機器におけるケーブルの取付構造において、結束バンドによってケーブルを結束して筺体の固定部に取り付ける方法を説明する。
筺体１の孔（図示せず）から内側に導入された複数本のケーブル２１を、図４（ａ）に示すように、２個のガイド溝１２の側壁１６，１６上に、ガイド溝１２の延在方向と直交するように載置する。このとき、ケーブル２１を載置するガイド溝１２の側壁１６に直交するように、プリント基板８側にガイド筒体１１の規制壁１４が立設されているため、側壁１６上に載置されたケーブル２１が規制壁１４によって、プリント基板８側への移動が規制される。したがって、ケーブル２１がプリント基板８の裏面から突出した電子部品７の端子７ａに接触するようなことがないため、ケーブル２１の被覆部が端子７ａによって傷が付くようなことがない。この状態としてから、ガイド筒体１１の上方から結束バンド２２の先端をガイド筒体１１の挿入口１３からガイド筒体１１内に挿入する。このとき、挿入口１３が側面視おいて傾斜するように形成されているため、挿入口１３の断面積が拡がるから結束バンド２２の挿入作業を容易に行うことができる。
【００１２】
結束バンド２２をガイド筒体１１内に挿入していくことにより、結束バンド２２の先端がガイド筒体１１の底部に当接する。さらに、結束バンド２２をガイド筒体１１内に挿入し続けると、結束バンド２２が可撓性を有し、かつガイド溝１２がガイド筒体１１の導出口１４ａに連通されているため、結束バンド２２の先端部は折れ曲がるようにして、導出口１４ａからガイド溝１２内に導入される。導入された結束バンド２２は、ガイド溝１２の開口の一部を覆う抜止片１７，１７によって開口からの抜けが規制され、ガイド溝１２の底部１５に沿って底部１５の傾斜部１５ａに導かれる。傾斜部１５ａがガイド筒体１１と反対側に向かって、ガイド筒体１１の立設する方向、すなわち図中上方に傾斜するように形成されているため、結束バンド２２の先端は傾斜部１５ａに沿って斜め上方を指向するようにガイド溝１２から導出される。
【００１３】
ガイド筒体１１がガイド溝１２を挟んでロアーケース２の側壁５と互いに対向するように設けられているから、さらに、結束バンド２２をガイド筒体１１内に挿入し続けると、図５（ａ）において、結束バンド２２の先端が側壁５の内面に当接する。このため、先端が斜め上方に指向した結束バンド２２の先端側は、図４（ｃ）に示すように、ケーブル２１の周りを回り込むようにガイド溝１２の底部１５において反転し上方に導出される。上方に導出された結束バンド２２の先端部を把持し、図５に示すように、結束バンド２２の締止部２３内に挿通させ、この結束バンド２２によって多数のケーブル２１を束ねることにより、ケーブル２１がガイド筒体１１の規制壁１４とガイド溝１２の側壁１６とに固定される。このように、ケーブル２１はガイド筒体１１の規制壁１４とガイド溝１２の側壁１６との２面に固定されるから、ケーブル２１は軸線方向と直交する方向への移動を規制されて確実かつ堅固に固定される。
【００１４】
また、ガイド筒体１１とガイド溝１２とを設けたことにより、結束バンド２２によってケーブル２１を結束するときに、結束バンド２２が幅方向にずれるようなことがないから作業性が向上する。また、結束バンド２２を導入するガイド筒体１１の挿入口１３が上方を指向しているため、結束バンド２２をガイド筒体１１に挿入する作業をロアーケース２の上方から行うことができる。このため、電子機器内に結束バンド２２をガイド筒体１１内へ挿入するための充分な作業空間が確保できない場合でも挿入作業が容易になる。
【００１５】
また、ガイド溝１２の底部１５に傾斜部１５ａを設け、かつガイド筒体１１とガイド溝１２を挟んで互いに対向するようにロアーケース２の側壁５を設けたことにより、ガイド溝１２から導出された結束バンド２２の先端がケーブル２１の周りを回り込むようにしてガイド溝１２の底部１５において反転し上方に導出されるから、結束バンド２２の先端を締止部２３に挿通させる作業が容易になる。また、ケーブル２１を結束した結束バンド２２が、図５（ａ）に示すように、規制壁１４と抜止片１７との２箇所において掛け止めされることにより、結束されたケーブル２１の固定位置にばらつきがなくなり一定の位置に固定される。
【００１６】
図６および図７は本発明の第２の実施の形態を示し、図６（ａ）は要部の平面図、同図（ｂ）は同図（ａ）におけるVI（ｂ）-VI（ｂ） 線断面図、図７は同じく要部の斜視図である。
ガイド溝１２の側壁１６，１６のガイド筒体１１側の一端部は、図７に示すように、導出口１４ａの上端まで延設され、上端部に後述する被固定部材としての箱体３０（便宜上ハッチングを付した部材）を載置する載置部２５，２５が形成されている。
【００１７】
ガイド溝１２の側壁１６，１６の他端部には、互いに対向するように上方に延設された間隔片２６，２６が設けられ、これら間隔片２６，２６はロアーケース２の側壁５に連設されている。この間隔片２６，２６のガイド筒体１１側の一端には、載置部２５，２５に対向し載置部２５，２５と同じ高さに位置付けられた載置部２７，２７が設けられている。また、間隔片２６，２６のガイド筒体１１側の一端の上部間には、ガイド筒体１１の規制壁１４と対向するように保持壁２８が設けられており、これら保持壁２８と規制壁１４間の間隔は箱体３０を保持できる間隔に形成されている。
【００１８】
このように構成されていることにより、上述した第１の実施の形態と同様に、ガイド溝１２の側壁１６，１６上に複数本のケーブル２１を載置し、箱体３０の下端部を規制壁１４と保持壁２８間に係入することにより、箱体３０が上下方向に延在するように保持される。このとき、保持壁２８とロアーケース２の側壁５との間に間隔片２６が設けられていることにより、箱体３０とロアーケース２の側壁５および箱体３０とアッパーケース３の囲い壁３１との間に結束バンド２２を通す挿通空間３２が形成される。また、載置部２５および載置部２７の高さは、ガイド溝１２の側壁１６上に載置された複数本のケーブル２１よりも高くなるように形成されている。したがって、保持壁２８と規制壁１４とによって保持された箱体３０の下端は、載置部２５，２７よりも低くなるようなことがないから、箱体３０の下端がケーブル２１に接触するようなことはない。
【００１９】
このような状態としてから、上述した第１の実施の形態と同様に、結束バンド２２の先端をガイド筒体１１の挿入口１３から挿入すると、結束バンド２２の先端は導出口１４ａからガイド溝１２に導入され、間隔片２６，２６間および挿通空間３２を通って、箱体３０の上方に導出される。導出された結束バンド２２の先端を締止部２３内を挿通させ、この結束バンド２２によって箱体３０を締め付けると、結束バンド２２が規制壁１４，抜け止め部１７，保持壁２８の３箇所において掛け止めされるから、箱体３０がガイド筒体１１の規制壁１４と保持壁２８とに固定される。
【００２０】
このように、箱体３０を規制壁１４と保持壁２８とに仮固定することができるため、次の結束バンド２２による箱体３０の固定作業が容易になる。また、保持壁２８によって保持された箱体３０とロアーケース２の側壁５および箱体３０とアッパーケース３の囲い壁３１との間に結束バンド２２を通す挿通空間３２が形成されている。このため、ガイド筒体１１の挿入口１３から挿入した結束バンド２２は、箱体３０の周りを回り込むようにしてこの挿通空間３２から箱体３０の上方に引き出されるから結束バンド２２を締止部２３に挿入する作業が容易になる。
【００２１】
なお、この第２の実施の形態においては、保持壁２８は必ずしも必要ではなく、間隔片２６，２６の端面と規制壁１４とで箱体３０を仮固定することもできる。また、保持壁２８がロアーケース２の側壁５に近接していない場合には、間隔片２６，２６および保持壁２８の代わりに、ガイド筒体１１に対向するようにこのガイド筒体１１と同じ構造の第２のガイド筒体を設け、この第２のガイド筒体を結束バンド２２を上方に導出するためのガイドしてもよい。
【図面の簡単な説明】
【００２２】
【図１】本発明に係る電子機器の筺体の要部を示す斜視図である。
【図２】本発明に係る電子機器の筺体の要部の平面図である。
【図３】本発明に係る電子機器におけるケーブルの取付構造において、ケーブルを固定した状態を示す要部の平面図である。
【図４】本発明に係る電子機器におけるケーブルの取付構造において、結束バンドの装着動作を示す要部の斜視図で、同図（ａ）は結束バンドをガイド筒体内に挿入し始めた状態を示し、同図（ｂ）は結束バンドがガイド溝内に導入された状態を示し、同図（ｃ）は結束バンドの先端がガイド溝から導出された状態を示す。
【図５】同図（ａ）は図２におけるV（ａ）-V（ａ） 線断面図、同図（ｂ）は図２におけるV（ｂ）-V（ｂ） 線断面図である。
【図６】同図（ａ）は本発明の第２の実施の形態を示す要部の平面図、同図（ｂ）は同図（ａ）におけるVI（ｂ）-VI（ｂ） 線断面図である。
【図７】本発明の第２の実施の形態における要部の斜視図である。
【符号の説明】
【００２３】
１…装置筺体、２…ロアーケース、３…アッパーケース、５…囲い壁、７…電子部品、７ａ…端子、８…プリント基板、９…固定部、１０…ケーブル固定本体、１１…ガイド筒、１２…ガイド溝、１３…挿入口、１４…規制壁、１４ａ…導出口、１５…底部、１５ａ…傾斜部、１６…側壁、１７…抜止片、２１…ケーブル、２２…結束バンド、２３…締止部、２５，２７…載置部、２６…間隔片、２８…保持壁、３０…箱体、３２…挿通空間。
【図１】
2005051003.tif 000003
【図２】
2005051003.tif 000004
【図３】
2005051003.tif 000005
【図４】
2005051003.tif 000006
【図５】
2005051003.tif 000007
【図６】
2005051003.tif 000008
【図７】
2005051003.tif 000009